(57)【特許請求の範囲】
【請求項１】
液晶パネルとバックライトモジュール位置決め接着構造であって、
前記バックライトモジュールは、
反射プレートと、
プラスチックフレームと、
導光板と、
光学フィルムと、からなり、
前記反射プレートと導光板と光学フィルムは、順番に重なり合って設けられ、
前記プラスチックフレームは、前記反射プレートと、前記導光板と、前記光学フィルムと、を取り囲み、
前記バックライトモジュールはさらに両面テープを備え、
前記両面テープは、第一層と、前記第一層に重なり合う第二層と、からなり、
前記第二層は、遮光部と、前記遮光部に連結された透光部と、からなり、
前記両面テープは、前記液晶パネルと前記バックライトモジュールを接着し、
前記遮光部は、前記光学フィルムの縁と前記プラスチックフレームの位置に配置され、
前記透光部は前記光学フィルムの透明部分に設け、
前記バックライトモジュールはさらにバックプレートを備え、
前記バックプレートはベースプレートとサイドプレートと、からなり、
前記反射プレートは、前記ベースプレートと前記導光板の間に取り付けられ、
前記両面テープの一部分と前記サイドプレートは接着する
ことを特徴とする液晶パネルとバックライトモジュール位置決め接着構造。
【請求項２】
請求項１に記載の液晶パネルとバックライトモジュール位置決め接着構造において、
前記プラスチックフレームは、側壁を備え、前記光学フィルムと同じ水平面に位置する表面は、前記側壁の上表面であり、
前記両面テープの前記第一層は、前記プラスチックフレームの上表面と前記光学フィルムの縁に貼られている
ことを特徴とする液晶パネルとバックライトモジュール位置決め接着構造。
【請求項３】
請求項２に記載の液晶パネルとバックライトモジュール位置決め接着構造において、
前記第二層と前記液晶パネルは接着する
ことを特徴とする液晶パネルとバックライトモジュール位置決め接着構造。
【請求項４】
請求項３に記載の液晶パネルとバックライトモジュール位置決め接着構造において、
前記両面テープの前記遮光部は黒色遮光塗料であり、前記透光部は光学処理された透光テープである
ことを特徴とする液晶パネルとバックライトモジュール位置決め接着構造。
【請求項５】
請求項１に記載の液晶パネルとバックライトモジュール位置決め接着構造において、
前記第一層と前記第二層の外表面には透明コロイドが設けられる
ことを特徴とする液晶パネルとバックライトモジュール位置決め接着構造。
【請求項６】
表示装置であって、
前記表示装置は、バックライトモジュール位置決め接着構造と液晶パネルと、からなり、
前記液晶パネルはフレーム領域と透光領域とからなり、
前記バックライトモジュールは、
反射プレートと、
プラスチックフレームと、
導光板と、
光学フィルムと、からなり、
前記反射プレートと導光板と光学フィルムは、順番に重なり合って設けられ、
前記プラスチックフレームは、前記反射プレートと、前記導光板と、前記光学フィルムと、を取り囲み、
前記バックライトモジュールはさらに、両面テープを備え、
前記両面テープは、第一層と、前記第一層に重なり合う第二層とからなり、
前記第二層は、遮光部と、前記遮光部に連結された透光部と、からなり、
前記両面テープは、前記液晶パネルの前記フレーム領域と前記バックライトモジュールとを接着し、
前記遮光部は、前記光学フィルムの縁と前記プラスチックフレームの位置に配置され、
前記透光部は前記光学フィルムの透明部分に設け、
前記第二層と前記液晶パネルのフレーム領域は接着し、
前記透光部は前記フレーム領域に配置されるとともに、前記フレーム領域と透光領域の境界線に接する
ことを特徴とする表示装置。
【請求項７】
請求項６に記載の表示装置において、
前記プラスチックフレームは、側壁を備え、前記光学フィルムと同じ水平面に位置する表面は、前記側壁の上表面であり、
前記両面テープの第一層は、前記プラスチックフレームの前記上表面と前記光学フィルムの縁に貼られている
ことを特徴とする表示装置。
【請求項８】
請求項６に記載の表示装置において、
前記両面テープの遮光部は黒色遮光塗料であり、
前記透光部は光学処理された透光テープである
ことを特徴とする表示装置。
【請求項９】
請求項６に記載の表示装置において、
前記第二層と前記液晶パネルは接着する
ことを特徴とする表示装置。
【請求項１０】
請求項６に記載の表示装置において、
前記バックライトモジュールはさらにバックプレートを備え、
前記バックプレートは、ベースプレートと、サイドプレートと、からなり、
前記反射プレートは、前記ベースプレートと前記導光板の間に取り付けられ、
前記両面テープの一部分と前記サイドプレートは接着する
ことを特徴とする表示装置。
【請求項１１】
請求項６に記載の表示装置において、
前記第一層と前記第二層の外表面には透明コロイドが設けられる
ことを特徴とする表示装置。
【発明の詳細な説明】
【技術分野】
【０００１】
本発明は、２０１４年１２月２４日に提出した申請番号２０１４１０８１９６２８．４・発明名称「液晶パネルとバックライトモジュール位置決め接着構造及び表示装置」の先願優先権を要求し、前記先願の内容は引用で本文中に合併される。
【０００２】
本発明は、液晶パネルの技術領域に関し、特に、液晶パネルとバックライトモジュール位置決め接着構造及び表示装置に関する。
【背景技術】
【０００３】
現在、表示装置は電子機器のディスプレイ装置としてすでに様々な電子製品に幅広く応用されている。電子製品軽薄化の発展に伴い、電子デバイスのベゼルはますます狭く設計されている。又、バックライトモジュールは表示装置において重要なパーツの一つであり、バックライトモジュールのベゼルもさらに狭くしていく必要がある。
【０００４】
現在の技術におけるバックライトモジュールは、いずれもプラスチックフレームを備え、導光板がプラスチックフレームに囲まれ、光学フィルムが、位置決め遮光塗料テープによって前記導光板とプラスチックフレームに固定される。液晶パネルはバックライトユニットの位置決め遮光両面テープに位置決めされ、黒色両面テープの幅はちょうど人の目には見えない位置、即ち光線射出位置にあり、液晶モジュールのベゼルの幅がだんだんと狭くなるにつれて、前記位置決め遮光塗料テープの幅もだんだんと狭くなるため、位置決め遮光塗料テープと光学フィルムの間の位置決め強度減少を引き起こし、フィルムの位置決めが不安定になりやすい。フィルムの位置決めの安定度を保証する為には、位置決め遮光塗料テープの幅を限度なく縮小することはできず、このため、液晶パネルを通してバックライトユニットの黒色フレームが人の目に見えてしまう。これらの状況は、液晶パネルの透光品質全体に影響を与える。
【発明の概要】
【発明が解決しようとする課題】
【０００５】
本発明は、液晶パネルと表示装置に対し、透光品質に影響しない狭いベゼルを備えさせことができる、液晶パネルとバックライトモジュール位置決め接着構造及び表示装置を提供することを目的とする。
【課題を解決するための手段】
【０００６】
本発明は、液晶パネルとバックライトモジュール位置決め接着構造を提供する。前記バックライトモジュールは、反射プレートと、プラスチックフレームと、導光板と、光学フィルムと、からなり，前記反射プレートと導光板と光学フィルムは、順番に重なり合って設けられ、前記プラスチックフレームは、前記反射プレートと導光板と光学フィルムを取り囲む。前記バックライトモジュールはさらに両面テープを備え、前記両面テープは、第一層と、第一層に重なり合う第二層と、からなり、前記第二層は、遮光部と、遮光部に連結された透光部と、からなる。前記両面テープは、前記液晶パネルとバックライトモジュールを接着し、前記遮光部は、前記光学フィルム縁と、前記プラスチックフレームの位置に配置され、前記透光部は、前記光学フィルムの透明部分に向かって延伸する。
【０００７】
その内、前記プラスチックフレームは側壁を備え、光学フィルムと同じ水平面に配置された表面は側壁の上表面であり、前記両面テープの第一層は、前記プラスチックフレームの上表面と前記光学フィルムの縁に貼られている。
【０００８】
その内、前記第二層と前記液晶パネルは接着する。
【０００９】
その内、前記両面テープの遮光部は黒色遮光塗料であり、前記透光部は光学処理された透光テープである。
【００１０】
その内、前記バックライトモジュールはさらにバックパネルを備え、前記バックパネルは、ベースプレートと、サイドプレートと、からなる。前記反射プレートは、ベースプレートと前記導光板の間に取り付けられ、前記両面テープの一部分と前記サイドプレートは接着する。
【００１１】
その内、前記第一層と第二層の外表面には透明コロイドが設けられる。
【００１２】
本発明はさらに表示装置を提供し、表示装置は、バックライトモジュールと、液晶パネルと、からなる。前記液晶パネルは、フレーム領域と、透光領域と、からなり、前記バックライトモジュールは反射プレートと、プラスチックフレームと、導光板と、光学フィルムと、からなる。前記反射プレートと、導光板と、光学フィルムは、順番に重なり合って設けられ、前記プラスチックフレームは、前記反射プレートと、導光板と、光学フィルムを取り囲む。前記バックライトモジュールはさらに両面テープを備え、前記両面テープは、第一層と、第一層に重なり合う第二層と、からなり、前記第二層は、遮光部と、遮光部に連結された透光部と、からなる。前記両面テープは、前記液晶パネルのフレーム領域とバックライトモジュールを接着し、前記遮光部は、前記光学フィルム縁と前記プラスチックフレームの位置に配置され、前記透光部は前記光学フィルムの透明部分に向かって延伸する。前記両面テープの長さと前記フレーム領域の幅は同じである。
【００１３】
その内、前記第二層と前記液晶パネルのフレーム領域は接着し、前記透光部は前記フレーム領域に配置されるとともに、前記フレーム領域と透光領域の境界線に接近する。
【００１４】
その内、前記プラスチックフレームは側壁を備え、光学フィルムと同じ水平面に配置された表面は側壁の上表面であり、前記両面テープの第一層は、プラスチックフレームの上表面と前記光学フィルムの縁に貼られている。
【００１５】
その内、前記両面テープの遮光部は黒色遮光塗料であり、前記透光部は光学処理された透光テープである。
【００１６】
その内、前記第二層と前記液晶パネルは接着する。
【００１７】
その内、前記バックライトモジュールはさらにバックプレートを備え、前記バックプレートは、ベースプレートと、サイドプレートと、からなる。前記反射プレートはベースプレートと前記導光板の間に取り付けられ、前記両面テープの一部分と前記サイドプレートは接着する。
【００１８】
その内、前記第一層と第二層の外表面には、透明コロイドが設けられる。
【発明の効果】
【００１９】
本発明におけるバックライトモジュール位置決め接着構造の両面テープは、遮光部と、透光部と、からなる。両面テープは、その全体を、前記液晶パネルのフレーム領域と、フレーム領域が対応するバックライトモジュールのプラスチックフレームと、光学フィルムの縁とに接着することができ、前記両面テープの、前記バックライトモジュールと液晶パネルに対する結合力を強化し、組み立てとテスト過程における前記バックライトモジュールと液晶パネルの品質への影響を防止すると同時に、同様の接着効果を備える前記透光部は、できる限り速く光線に導光板を通過させることができ、液晶パネルの光線強度を保証するとともに、狭いフレームの技術効果を実現する。
【００２０】
本発明の実施例や従来の技術案をさらに理解するために、以下では、実施例や従来技術の記述に必要な図面について、簡単に説明を行う。当然のことながら、以下の図面は、本発明の一部の実施例に過ぎず、本分野の一般の技術者は、創造性のある労働をせずとも、これらの図面をもとに、その他の図面を考えだすことができる。
【図面の簡単な説明】
【００２１】
【図１】本発明のバックライトモジュール位置決め接着構造を含んだ液晶パネルの断面図である。
【図２】図１の前記バックライトモジュール位置決め接着構造の両面テープの構造を示した概略図である。
【発明を実施するための形態】
【００２２】
下記では、本発明の実施例における添付図と併せ、本発明の実施例における技術方案を明確に整理して描写する。当然ながら、描写された実施例は本発明の実施例の一部にすぎず、実施例の全てではない。本発明における実施例に基づき、本分野の一般の技術者は、創造性のある労働をせずともその他の実施例を考え出すことができ、それらはすべて本発明の保護範囲とされる。
【００２３】
図１と図２を参照する。本発明の好ましい実施例は、液晶パネル２０と、プラスチック構造に位置決めされたバックライトモジュールを提供する。前記液晶パネル２０は、フレーム領域２１と、透光領域２２と、からなる。前記フレーム領域２１は、前記透明領域２２を取り囲んで設けられる。前記バックライトモジュール１０は、反射プレート１２と、プラスチックフレーム１３と、導光板１５と、光学フィルム１７と、からなる。前記反射プレート１２と、導光板１５と、光学フィルム１６は、順番に重なり合って設けられ、前記プラスチックフレーム１３は、前記反射プレート１２と、導光板１５と、光学フィルム１６を取り囲む。前記バックライトモジュールはさらに、両面テープ１８を備え、前記両面テープ１８は、第一層１８１と、第一層１８１に重なり合う第二層１８２とからなり、前記第二層１８２は、遮光部１８３と、遮光部１８３に連結された透光部１８５と、からなる。前記両面テープ１８は、前記液晶パネル２０とバックライトモジュール１０を接着し、前記遮光部１８３は、前記光学フィルム１７縁と、前記プラスチックフレーム１３の位置に配置され、前記透光部１８５は前記光学フィルム１７の透明部分に向かって延伸する。前記両面テープ１８の長さと前記フレーム領域２１の幅は同じである。前記第一層１８１と第二層１８２の表面には透明のコロイドが塗られており、両面テープの接着効果を実現するために用いられる。
【００２４】
さらに、前記バックプレート１１は、ベースプレート１１１と、サイドプレート１１２と、からなる。前記ベースプレート１１１と前記サイドプレート１１２は、取り囲んで収容空間を形成し、前記収容空間は、前記プラスチックフレーム１３と、導光板１５と、光学フィルム１７を収容するために用いられる。前記反射プレート１２は、バックプレート１１１と前記導光板１５の間に取り付けられ、前記両面テープ１８の一部分と前記サイドプレート１１２は接着する。
【００２５】
本実施例において、前記プラスチックフレーム１３は、側壁１３１を備え、光学フィルム１７と同じ水平面に位置する表面は、側壁１３１の表面である（図に表示なし。）前記両面テープ１８の第一層１８１は、プラスチックフレーム１３の表面と、光学フィルム１７の縁に貼られている。本実施例において、前記第一層１８１は透明層である。
【００２６】
さらに、前記第二層１８２と前記液晶パネル２０は接着する。本実施例において、前記第二層１８２と前記液晶パネル２０のフレーム領域２１は接着し、前記透光部１８５は前記フレーム領域２１に配置されるとともに、前記フレーム領域２１と透光領域２２の境界線に接近する。前記両面テープ１８の長さと前記フレーム領域２１の幅は等しく、前記透光部１８５は遮光部１８３から前記フレーム領域２１と透光領域２２の境界線の位置にかけて延伸する。
【００２７】
さらに、前記両面テープ１８の遮光部１８３は黒色遮光塗料である。前記透光部１８５は光学処理された透光テープである。光線が前記液晶パネルから前記光学フィルム１７に入射する際、傾斜された光線は同様に、前記透光部１８５を通して前記光学フィルム１７に入射した後、導光板１５に入ることができ、前記光線の進入及び射出には影響しない。その他の実施例において、前記第一層１８１の外表面と前記遮光部１８３が向かい合っている位置には黒色遮光塗料層が塗られ、透明コロイドが前記黒色遮光塗料層の外側に設けられる。
【００２８】
本発明のバックライトモジュール位置決め接着構造の両面テープ１８は、遮光部１８３と、透光部１８５と、からなる。両面テープ１８は、その全体を、前記液晶パネルのフレーム領域２１と、フレーム領域２１が対応するバックライトモジュール１０のプラスチックフレーム１３と、光学フィルム１７の縁とに接着することができる。それにより、前記両面テープ１８の、前記バックライトモジュール１０と液晶パネル２０に対する結合力を強化し、組み立てとテスト過程における前記バックライトモジュールと液晶パネルの品質への影響を防止すると同時に、同様の接着効果を備える前記透光部１８５は、導光板１５を通して光線を反射させることができ、液晶パネル２０の光線強度を保証する。さらに、液晶ディスプレイから肉眼で見ていくと、前記透光部１８３は見えず、狭いフレームの技術効果を実現する。
【００２９】
以上の開示された事項は本発明の好ましい実施例にすぎず、当然ながら本発明の権利範囲を限定させることはできない。本分野の一般的な技術者は、実際に上記で述べられた実施例の全て或いは部分的な行程を理解することができ、また本発明の権利要求に基づいて行われる同等の変化は、発明が包含する範囲に属する。
【符号の説明】
【００３０】
２０    液晶パネル
２１    フレーム領域
２２    透光領域
１０    バックライトモジュール
１２      反射プレート
１３    プラスチックフレーム
１５    導光板
１７    光学フィルム
１８    両面テープ
１８１    第一層
１８２  第二層
１８５  透光部
１８３  遮光部
１１    バックプレート
１１１  ベースプレート
１１２  サイドプレート
１３１  側壁
【図１】
0006423966.tif 000002
【図２】
0006423966.tif 000003